(57)【特許請求の範囲】
【請求項１】
アンテナ素子をケース内に収納してなるアンテナ部と、
前記アンテナ部を支持して室内に設置するための支持部と、
を備え、
前記支持部には、
受信信号を外部から入力するための入力端子と、
受信信号を外部に出力するための出力端子と、
受信信号を増幅する増幅回路と、
受信信号を通過させる通過回路と、
受信信号を、前記増幅回路を介して前記出力端子に出力させるか、前記通過回路を介して前記出力端子に出力させるかを切り換える通過経路切換手段と、
前記通過経路切換手段により、前記受信信号を前記出力端子に出力させる通過経路として前記増幅回路が選択されているとき、当該増幅回路に入力される受信信号を、前記アンテナ素子からの受信信号と前記入力端子に入力された受信信号との何れかに切り換える入力経路切換手段と、
前記増幅回路駆動用の電源電圧を入力するための電源端子と、
が設けられており、
前記通過経路切換手段は、前記電源端子に電源電圧が入力されているとき、該電源電圧の供給を受けて、前記受信信号を、前記増幅回路を介して前記出力端子に出力させ、前記電源端子に電源電圧が入力されていないときには、前記受信信号を、前記通過回路を介して前記出力端子に出力させることを特徴とする室内アンテナ。
【請求項２】
前記入力端子は、前記支持部に対し、前記支持部から突出して外部から受信信号を入力可能な突出位置と、前記支持部内に収納されて外部から受信信号を入力できない待避位置とに変位可能に設けられ、前記支持部には、前記入力端子の位置を検出する位置検出手段が設けられており、
前記入力経路切換手段は、前記電源端子に電源電圧が入力されているとき、前記位置検出手段により検出された前記入力端子の位置が前記突出位置であれば、前記入力端子に入力された受信信号を前記増幅回路へ入力し、前記位置検出手段により検出された前記入力端子の位置が前記待避位置であれば、前記アンテナ素子からの受信信号を前記増幅回路へ入力することを特徴とする請求項１に記載の室内アンテナ。
【請求項３】
アンテナ素子をケース内に収納してなるアンテナ部と、
前記アンテナ部を支持して室内に設置するための支持部と、
を備え、
前記支持部には、
受信信号を外部から入力するための入力端子と、
受信信号を外部に出力するための出力端子と、
受信信号を増幅する増幅回路と、
前記増幅回路に入力される受信信号を、前記アンテナ素子からの受信信号と前記入力端子に入力された受信信号との何れかに切り換える入力経路切換手段と、
が設けられており、
前記入力端子は、前記支持部に対し、前記支持部から突出して外部から受信信号を入力可能な突出位置と、前記支持部内に収納されて外部から受信信号を入力できない待避位置とに変位可能に設けられ、
前記支持部には、前記入力端子の位置を検出する位置検出手段が設けられており、
前記入力経路切換手段は、前記位置検出手段により検出された前記入力端子の位置が前記突出位置であれば、前記入力端子に入力された受信信号を前記増幅回路へ入力し、前記位置検出手段により検出された前記入力端子の位置が前記待避位置であれば、前記アンテナ素子からの受信信号を前記増幅回路へ入力することを特徴とする室内アンテナ。
【発明の詳細な説明】
【技術分野】
【０００１】
本発明は、受信信号を増幅する増幅回路を内蔵した室内アンテナに関する。
【背景技術】
【０００２】
従来、テレビ放送電波を受信するのに利用される室内アンテナには、アンテナ素子を支持して室内に設置するための支持部内に、アンテナ素子からの受信信号を増幅する増幅回路を設けたものが知られている。
【０００３】
また、テレビ放送電波の電界強度が高い地域では、増幅回路は不要であるため、増幅回路を筐体内に収納した増幅部を支持部とは別体で構成し、受信信号の増幅が必要なときには、支持部に増幅部を装着し、受信信号の増幅が不要なときには、増幅部を支持部から取り外すことで、アンテナ素子からの受信信号を支持部に設けた出力端子から出力できるようにしたものも知られている（例えば、特許文献１等参照）。
【０００４】
ところで、室内アンテナは、室内に配置されるので、受信特性だけでなく、見栄えも重要であることから、アンテナ素子を見栄えのよいケースに収納したり、支持部の形状を変更する等、全体の見栄えがよくなるように、外観を考慮して設計される。
【０００５】
しかし、特許文献１に記載のように、支持部に対し増幅部を着脱自在に構成すると、支持部から増幅部を取り外した際に、外観が大きく変化し、見栄えが悪くなることがあった。  また、特許文献１に記載のように、支持部に対し増幅部を着脱自在に構成すると、構成部品が増えるので、コストアップになるという問題もある。
【０００６】
一方、室内に設置される増幅装置（所謂ブースタ）には、増幅回路とは別に、受信信号を通過させる通過回路を設け、切換スイッチを介して、増幅回路と通過回路との何れかを受信信号の通過経路として選択できるようにしたものが知られている（例えば、特許文献２等参照）。
【０００７】
従って、支持部に増幅回路を内蔵した室内アンテナにおいても、この技術を適用して、アンテナ素子からの受信信号を増幅回路に通すか、或いは、通過回路に通すかを、切換スイッチを介して切り換えることができるようにすれば、支持部と増幅部とを別体で構成することなく、受信信号の出力レベルを所望レベルに設定できるようになる。
【先行技術文献】
【特許文献】
【０００８】
【特許文献１】実開昭６１−１６６６０９号公報
【特許文献２】特開平６−３２６５３４号公報
【発明の概要】
【発明が解決しようとする課題】
【０００９】
しかしながら、室内アンテナにおいて受信信号の入力源はアンテナ素子であることから、室内アンテナには、受信信号を入力するための入力端子はなく、外部から受信信号を入力することはできなかった。
【００１０】
このため、従来の室内アンテナは、アンテナ素子をケースに収納して、外観を置物のように見栄えよくしても、受信アンテナとしての機能しか得られず、室内用の増幅装置（ブースタ）として使用することはできなかった。
【００１１】
本発明は、こうした問題に鑑みなされたものであり、増幅回路を内蔵した室内アンテナにおいて、受信信号を増幅するか否かを切り換えることができるだけでなく、外部から入力された受信信号を増幅する増幅装置としても利用できるようにすることを目的とする。
【課題を解決するための手段】
【００１２】
かかる目的を達成するためになされた請求項１に記載の室内アンテナは、
アンテナ素子をケース内に収納してなるアンテナ部と、
前記アンテナ部を支持して室内に設置するための支持部と、
を備え、
前記支持部には、
受信信号を外部から入力するための入力端子と、
受信信号を外部に出力するための出力端子と、
受信信号を増幅する増幅回路と、
受信信号を通過させる通過回路と、
受信信号を、前記増幅回路を介して前記出力端子に出力させるか、前記通過回路を介して前記出力端子に出力させるかを切り換える通過経路切換手段と、
前記通過経路切換手段により、前記受信信号を前記出力端子に出力させる通過経路として前記増幅回路が選択されているとき、当該増幅回路に入力される受信信号を、前記アンテナ素子からの受信信号と前記入力端子に入力された受信信号との何れかに切り換える入力経路切換手段と、
前記増幅回路駆動用の電源電圧を入力するための電源端子と、
が設けられており、
前記通過経路切換手段は、前記電源端子に電源電圧が入力されているとき、該電源電圧の供給を受けて、前記受信信号を、前記増幅回路を介して前記出力端子に出力させ、前記電源端子に電源電圧が入力されていないときには、前記受信信号を、前記通過回路を介して前記出力端子に出力させることを特徴とする。
【００１３】
また、請求項２に記載の発明は、請求項１に記載の室内アンテナにおいて、
前記入力端子は、前記支持部に対し、前記支持部から突出して外部から受信信号を入力可能な突出位置と、前記支持部内に収納されて外部から受信信号を入力できない待避位置とに変位可能に設けられ、前記支持部には、前記入力端子の位置を検出する位置検出手段が設けられており、
前記入力経路切換手段は、前記電源端子に電源電圧が入力されているとき、前記位置検出手段により検出された前記入力端子の位置が前記突出位置であれば、前記入力端子に入力された受信信号を前記増幅回路へ入力し、前記位置検出手段により検出された前記入力端子の位置が前記待避位置であれば、前記アンテナ素子からの受信信号を前記増幅回路へ入力することを特徴とする。
【００１４】
また、請求項３に記載のアンテナ装置は、
アンテナ素子をケース内に収納してなるアンテナ部と、
前記アンテナ部を支持して室内に設置するための支持部と、
を備え、
前記支持部には、
受信信号を外部から入力するための入力端子と、
受信信号を外部に出力するための出力端子と、
受信信号を増幅する増幅回路と、
前記増幅回路に入力される受信信号を、前記アンテナ素子からの受信信号と前記入力端子に入力された受信信号との何れかに切り換える入力経路切換手段と、
が設けられており、
前記入力端子は、前記支持部に対し、前記支持部から突出して外部から受信信号を入力可能な突出位置と、前記支持部内に収納されて外部から受信信号を入力できない待避位置とに変位可能に設けられ、
前記支持部には、前記入力端子の位置を検出する位置検出手段が設けられており、
前記入力経路切換手段は、前記位置検出手段により検出された前記入力端子の位置が前記突出位置であれば、前記入力端子に入力された受信信号を前記増幅回路へ入力し、前記位置検出手段により検出された前記入力端子の位置が前記待避位置であれば、前記アンテナ素子からの受信信号を前記増幅回路へ入力することを特徴とする。
【発明の効果】
【００１５】
請求項１に記載の室内アンテナにおいては、支持部に受信信号を入・出力するための入力端子及び出力端子と、受信信号を増幅する増幅回路と、受信信号を通過させる通過回路とが設けられている。
【００１６】
そして、本発明の室内アンテナによれば、通過経路切換手段により、受信信号を、増幅回路を介して出力端子に出力させるか、通過回路を介して出力端子に出力させるかを切り換えることができる。
【００１７】
また、この通過経路切換手段により、受信信号を出力端子に出力させる通過経路として増幅回路が選択されているときには、入力経路切換手段により、その増幅回路に入力される受信信号を、アンテナ素子からの受信信号と、入力端子に入力された受信信号との何れかに切り換えることができる。
【００１８】
よって、本発明の室内アンテナによれば、アンテナ素子からの受信信号を増幅することなく出力端子から出力させるアンテナ装置としての機能と、アンテナ素子からの受信信号を増幅して出力端子から出力させる増幅器付きアンテナ装置としての機能と、外部から入力された受信信号を増幅して出力端子から出力させる増幅装置としての機能との、３つの機能を実現することができ、使用者は、その３つの機能の中から所望の機能を選択して室内アンテナを利用することができる。
【００２０】
また、通過経路切換手段は、電源端子に電源電圧が入力されているときに、その電源電圧の供給を受けて、受信信号を、増幅回路を介して出力端子に出力させるように構成されており、電源端子に電源電圧が入力されていないときには、受信信号を、通過回路を介して出力端子に出力させる。
【００２１】
従って、本発明の室内アンテナによれば、電源端子に電源電圧が供給されない通常時には、受信信号の通過経路として通過回路が選択され、増幅回路を動作させるために、使用者が電源端子に電源電圧を供給すれば、受信信号の通過経路として、自動で増幅回路が選択されることになる。
【００２２】
このため、使用者は、電源端子に電源電圧を供給するか否かを切り換えるだけで、受信信号を増幅させるか否かを切り換えることができ、手動で操作スイッチを切り換えるようにした場合に比べて、使い勝手を向上できる。
【００２３】
次に、請求項２及び請求項３に記載の室内アンテナにおいては、入力端子が、支持部に対し、受信信号を入力可能な突出位置と、受信信号を入力できない待避位置と、に変位可能に設けられており、支持部には、入力端子の位置を検出する位置検出手段が設けられている。
【００２４】
そして、入力経路切換手段は、位置検出手段により検出された入力端子の位置が突出位置であれば、入力端子に入力された受信信号を増幅回路へ入力し、逆に、位置検出手段により検出された入力端子の位置が待避位置であれば、アンテナ素子からの受信信号を増幅回路へ入力する。
【００２５】
従って、請求項２及び請求項３に記載の室内アンテナによれば、入力端子が突出位置にあって外部から入力端子に受信信号を入力可能なときには、その入力端子に入力された受信信号が、増幅回路を介して出力端子から出力させる受信信号として選択され、入力端子が待避位置にあって入力端子に受信信号を入力できないときには、アンテナ素子からの受信信号が、増幅回路を介して出力端子から出力させる受信信号として選択されることになる。
【００２６】
このため、使用者は、入力端子の位置を変化させるだけで、増幅回路を介して出力端子から出力させる受信信号を、入力端子から入力される受信信号と、アンテナ素子からの受信信号との何れかに切り換えることができ、この切り換えを手動で行うようにした場合に比べて、使い勝手を向上できる。
【００２７】
また、請求項２及び請求項３に記載の室内アンテナによれば、入力端子から受信信号を入力する必要がないときには、入力端子を支持部内に収納しておくことができるので、入力端子が不要なときに、入力端子が支持部から突出されて、邪魔になるようなことはなく、しかも、不要な入力端子が突出されないので、室内アンテナの見栄えをよくすることができる。
【図面の簡単な説明】
【００２８】
【図１】実施形態の室内アンテナの外観を表し、（ａ）は右側面図、（ｂ）は背面図である。
【図２】図１（ｂ）に示すＡ−Ａ線断面図である。
【図３】支持部に設けられた入力端子の位置変化を説明する説明図である。
【図４】支持部に収納された回路基板の回路構成を表すブロック図である。
【図５】図５に示す回路構成の変形例１を表すブロック図である。
【図６】図５に示す回路構成の変形例２を表すブロック図である。
【図７】図５に示す回路構成の変形例３を表すブロック図である。
【発明を実施するための形態】
【００２９】
以下に本発明の実施形態を図面と共に説明する。
図１に示すように、本実施形態の室内アンテナ１は、室内の机や棚の上に載置できるように、円盤状に形成された中空の支持部４と、支持部４内に設けられたアンテナ端子６（図２参照）に給電部が固定されることにより、支持部４内の回路基板２０と電気的に接続されると共に支持部４に支持されるアンテナ素子２（図４参照）と、支持部４の上にアンテナ素子２を覆うように固定されて、アンテナ素子２を保護する保護ケース８と、を備える。
【００３０】
ここで、アンテナ素子２は、ＵＨＦ帯のテレビ放送電波を受信するためのものであり、例えば、ループアンテナにて構成される。また、保護ケース８は、電波を透過可能な合成樹脂にて形成されている。
【００３１】
なお、保護ケース８は、図１では球形状になっているが、この形状は、室内アンテナ１を置物のように見栄えよくするために、任意のキャラクタ形状にすることもできるし、彫刻が施された美術品のように形成することもできる。また、保護ケース８の表面に、絵や図柄を形成することもできる。
【００３２】
次に、支持部４は円盤形状であるが、図２に示すように、外周の一部は直線状になっており、その直線部分の両端には入力端子１２及び出力端子１４が設けられている。また、これら各端子１２，１４の間には、電源電圧（直流電圧）を外部から供給するための電源端子１６が設けられている。
【００３３】
また、入力端子１２及び出力端子１４は、支持部４の底面から回路基板２０を囲むように立設された壁部１０に固定されている。
この壁部１０は、合成樹脂にて支持部４と一体形成されており、回路基板２０は、電源端子１６と共にシールド用の金属ケース１８内に収納した状態で、壁部１０の内側に固定されている。
【００３４】
また、入力端子１２及び出力端子１４は、それぞれ、Ｆ型プラグを使って同軸ケーブルを接続できるように、一端が、Ｆ型コネクタを構成するコネクタ部１２ａ、１４ａとして形成されており、他端が、コネクタ部１２ａ、１４ａに対しＬ字状に折り曲げられて、壁部１０において互いに対向する部位に固定されている。
【００３５】
そして、出力端子１４は、コネクタ部１４ａを支持部４から突出させた状態で、壁部１０に固定され、壁部１０内部で回路基板２０に接続されている。
これに対し、入力端子１２は、図３（ａ）に示すように、コネクタ部１２ａを支持部４内に収納した待避位置と、図３（ｃ）に示すように、コネクタ部１２ａを支持部４から突出させた突出位置との間で変位できるように、壁部１０に対し回動自在に固定されている。
【００３６】
また、図３（ｂ）に示すように、支持部４には、入力端子１２を待避位置から突出位置或いはその逆方向へと変位させる際に、入力端子１２を通過させるための開口部４ａが形成されており、その開口部４ａには、入力端子１２が待避位置或いは突出位置にあるときに開口部４ａを閉じるための蓋体５が、開閉自在に設けられている。
【００３７】
また、支持部４内の壁部１０には、入力端子１２が待避位置にあるとき、入力端子１２のコネクタ部１２ａが操作部２２ａに当接されてオン状態となり、入力端子１２が突出位置にあるとき、操作部２２ａが開放されてオフ状態となるマイクロスイッチ（以下、検出スイッチという）２２が設けられている。
【００３８】
なお、この検出スイッチ２２は、本発明の位置検出手段に相当するものであり、この検出スイッチ２２の端子は、壁部１０内で回路基板２０に接続されている。
次に、回路基板２０には、図４に示すように、アンテナ素子２若しくは入力端子１２から入力される受信信号を増幅するための増幅回路３０と、受信信号をそのまま通過させるためのパス回路（本発明の通過回路に相当）４０と、これら各回路３０、４０の入力側及び出力側にそれぞれ設けられ、受信信号の通過経路として増幅回路３０及びパス回路４０の何れか一方を選択するための一対の通過経路切換スイッチ４４、４６と、アンテナ素子２からの受信信号と入力端子１２に入力された受信信号との何れか一方を増幅回路３０に入力するための入力経路切換スイッチ４２が設けられている。
【００３９】
なお、増幅回路３０は、増幅対象となるＵＨＦ帯の受信信号（テレビ放送信号）を選択的に通過させるハイパスフィルタ（ＨＰＦ）３２及びローパスフィルタ（ＬＰＦ）３４と、これら両フィルタ３２，３４を通過した受信信号を増幅する増幅部３６とから構成されており、増幅部３６には、電源端子１６から入力される電源電圧が供給される。
【００４０】
また、入力端子１２から入力経路切換スイッチ４２に至る受信信号の入力経路、及び、通過経路切換スイッチ４６から出力端子１４に至る受信信号の出力経路には、それぞれ、避雷器としてのＳＰＤ（サージ保護デバイス：Surge Protective Device ）４７，４８が設けられている。
【００４１】
次に、通過経路切換スイッチ４４，４６及び入力経路切換スイッチ４２は、それぞれ、本発明の通過経路切換手段及び入力経路切換手段に相当するものであり、使用者が手動操作で信号経路を切り換えることができる操作スイッチにて構成することもできるが、本実施形態では、通電・非通電により信号経路を切換可能な高周波スイッチにて構成されている。
【００４２】
そして、通過経路切換スイッチ４４，４６は、非通電時には、受信信号の通過経路としてパス回路４０を選択し、通電時には、受信信号の通過経路として増幅回路３０を選択するように設定されている。
【００４３】
このため、回路基板２０には、これら各経路切換スイッチ４４、４６を駆動する回路として、電源端子１６に入力される電源電圧を受けて、通電用の駆動信号を出力する切換回路５０が設けられている。
【００４４】
従って、通過経路切換スイッチ４４，４６は、電源端子１６に電源電圧が入力されていないとき（換言すれば、増幅回路３０が動作しないとき）には、受信信号の通過経路としてパス回路４０を選択し、電源端子１６に電源電圧が入力されているとき（換言すれば、増幅回路３０が動作しているとき）には、受信信号の通過経路として増幅回路３０を選択することになる。
【００４５】
また、入力経路切換スイッチ４２は、非通電時には、アンテナ素子２からの受信信号を通過させ、通電時には、入力端子１２に入力された受信信号を通過させるように設定されている。
【００４６】
そして、この入力経路切換スイッチ４２には、電源端子１６に入力される電源電圧が、入力端子１２の位置に応じてオン・オフ状態が切り換えられる検出スイッチ２２を介して印加される。
【００４７】
従って、入力経路切換スイッチ４２は、入力端子１２が受信信号を入力可能な突出位置に配置され、且つ、電源端子１６に電源電圧が入力されているときに、通電状態となって、入力端子１２に入力された受信信号を、通過経路切換スイッチ４４を介して増幅回路３０側に通過させることになり、入力端子１２が受信信号を入力できない待避位置に配置されているときには、非通電状態となって、アンテナ素子２からの受信信号を、通過経路切換スイッチ４４を介して増幅回路３０若しくはパス回路４０側に通過させることになる。
【００４８】
以上説明したように、本実施形態の室内アンテナ１によれば、上記各経路切換スイッチ４２〜４６による経路切換によって、アンテナ素子２からの受信信号を増幅することなく出力端子１４から出力させるアンテナ装置としての機能と、アンテナ素子２からの受信信号を増幅して出力端子１４から出力させる増幅器付きアンテナ装置としての機能と、外部から入力された受信信号を増幅して出力端子１４から出力させる増幅装置としての機能との、３つの機能を実現することができる。
【００４９】
また、本実施形態では、上記各経路切換スイッチ４２〜４６を、通電・非通電により受信信号の通過経路を切換可能な高周波スイッチにより構成し、電源端子１６に電源電圧が供給されているときに、切換回路５０若しくは検出スイッチ２２を介して、通過経路切換スイッチ４４，４６若しくは入力経路切換スイッチ４２へ通電することにより、信号経路を切り換えるようにされている。
【００５０】
このため、使用者は、電源端子１６に増幅回路３０駆動用の電源電圧を供給するだけで、受信信号の通過経路をパス回路４０から増幅回路３０へ自動で切り換えることができる。
【００５１】
また、使用者は、外部から受信信号を入力するために入力端子１２の位置を、待避位置から突出位置に変更するだけで、電源端子１６への電源電圧入力時（換言すれば、増幅回路３０の動作時）に増幅回路３０に入力される受信信号を、入力端子１２から入力される受信信号に設定することができる。
【００５２】
よって、本実施形態の室内アンテナ１によれば、当該室内アンテナ１の動作モードを上述した３つの動作モード（アンテナ装置、増幅器付きアンテナ装置、増幅装置）の何れかに設定する際に、上記各経路切換スイッチ４２〜４６を切り換えるための特別な操作を行う必要がなく、使い勝手を向上できる。
【００５３】
また、本実施形態の室内アンテナ１によれば、入力端子１２から受信信号を入力する必要がないときには、入力端子１２の位置を待避位置にして蓋体５を閉じておくことで、入力端子１２を支持部４内に収納して、コネクタ部１２ａを外から隠すことができる。
【００５４】
このため、入力端子１２が不要なときに、入力端子１２が支持部４から突出されて、邪魔になるようなことはなく、しかも、室内アンテナ１の見栄えをよくすることができる。
なお、本実施形態では、増幅回路３０に代えて受信信号を通過させる通過回路として、受信信号をそのまま通過させるパス回路４０を設けるものとして説明したが、通過回路として、可変減衰器を備えた減衰回路を設けるようにしてもよい。そして、このようにすれば、受信信号を所望の減衰量にて減衰させて通過させることができ、出力端子１４から出力される受信信号の信号レベルをより適正レベルに設定できる。
【００５５】
また、増幅回路３０についても、同様に可変減衰器を設けることで、増幅回路３０の利得を調整できるようにしてもよいし、ＡＧＣ回路を設けて、出力レベルを一定レベルに自動制御するようにしてもよい。
【００５６】
以上、本発明の一実施形態について説明したが、本発明は上記実施形態に限定されるものではなく、本発明の要旨を逸脱しない範囲内にて、種々の態様をとることができる。
そこで次に、本発明の他の実施態様として、３つの変形例について説明する。
（変形例１）
上記実施形態では、通過経路切換手段として、高周波スイッチからなる通過経路切換スイッチ４４、４６を用いるものとして説明したが、図５に示すように、通過経路切換スイッチ４４、４６に代えて、それぞれ、切換回路５０からの通電・非通電によりカットオフ周波数を切換可能なローパスフィルタ（以下、可変ＬＰＦという）５２ａ、５２ｂとハイパスフィルタ（以下、可変ＨＰＦという）５４ａ、５４ｂとからなるフィルタ回路を設けるようにしてもよい。
【００５７】
つまり、パス回路４０の入力側と出力側には、それぞれ、通電時にカットオフ周波数が３００ＭＨｚとなり、非通電時にカットオフ周波数が７７０ＭＨｚとなる可変ＬＰＦ５２ａ、５２ｂを設け、増幅回路３０の入力側と出力側には、それぞれ、通電時にカットオフ周波数が４７０ＭＨｚとなり、非通電時にカットオフ周波数が９００ＭＨｚとなる可変ＨＰＦ５４ａ、５４ｂを設けるのである。
【００５８】
そして、本変形例の構成によれば、電源端子１６に電源電圧が供給されて増幅回路３０が動作しているときには、可変ＬＰＦ５２ａ、５２ｂ及び可変ＨＰＦ５４ａ、５４ｂが切換回路５０を介して通電されて、可変ＬＰＦ５２ａ、５２ｂが受信信号（ＵＨＦ帯のテレビ放送信号：周波数４７０ＭＨｚ〜７７０ＭＨｚ）の通過を阻止し、可変ＨＰＦ５４ａ、５４ｂが受信信号を通過させる。
【００５９】
また、電源端子１６に電源電圧が供給されず、増幅回路３０が動作を停止しているときには、可変ＬＰＦ５２ａ、５２ｂ及び可変ＨＰＦ５４ａ、５４ｂが非通電状態となるので、可変ＬＰＦ５２ａ、５２ｂが受信信号を通過させ、可変ＨＰＦ５４ａ、５４ｂが受信信号の通過を阻止する。
【００６０】
よって、本変形例のように、通過経路切換手段を、通電・非通電によりカットオフ周波数を切換可能なフィルタ回路（可変ＬＰＦ５２ａ、５２ｂ及び可変ＨＰＦ５４ａ、５４ｂ）を用いて構成しても、上記実施形態と同様の効果を得ることができる。
【００６１】
なお、通電・非通電によりカットオフ周波数を切換可能なフィルタ回路としては、ＰＩＮダイオードや半導体スイッチ等、通電・非通電により高周波信号の通過・遮断を切換可能な半導体素子を備え、その半導体素子への通電・非通電の切り換えによりフィルタ特性を変更可能なフィルタ回路が知られている。
【００６２】
従って、本変形例の可変ＬＰＦ５２ａ、５２ｂ及び可変ＨＰＦ５４ａ、５４ｂについても、この種のフィルタ回路を用いて構成すればよい。そして、この種のフィルタ回路は、周知であるため、本変形例では、可変ＬＰＦ５２ａ、５２ｂ及び可変ＨＰＦ５４ａ、５４ｂの具体的構成については説明を省略する。
（変形例２）
変形例１では、パス回路４０の入力側及び出力側に可変ＬＰＦ５２ａ、５２ｂを設け、増幅回路３０の入力側及び出力側に可変ＨＰＦ５４ａ、５４ｂを設けることで、受信信号の通過経路を、これら各フィルタ回路を用いてパス回路４０及び増幅回路３０の何れかに切り換えるものとして説明したが、例えば、図６に示すように、パス回路４０の入力側に可変ＬＰＦ５２ａを設け、増幅回路３０の入力側には、通電・非通電により高周波信号の通過・遮断を切換可能な半導体素子からなる通過経路切換スイッチ５６を設け、パス回路４０及び増幅回路３０の出力側には、上記実施形態と同様の通過経路切換スイッチ４６を設けるようにしてもよい。
【００６３】
そして、このようにしても、電源端子１６に電源電圧が供給されていなければ、アンテナ素子２からの受信信号が、パス回路４０及び出力端子１４を介して外部に出力され、電源端子１６に電源電圧が供給されていれば、検出スイッチ２２がオン状態であるとき（換言すれば入力端子１２が待避位置にあるとき）、アンテナ素子２からの受信信号が増幅回路３０及び出力端子１４を介して外部に出力され、検出スイッチ２２がオフ状態であるとき（換言すれば入力端子１２が突出位置にあるとき）、入力端子１２からの受信信号が増幅回路３０及び出力端子１４を介して外部に出力される。
【００６４】
従って、本変形例２においても、上記実施形態や変形例１と同様の効果を得ることができる。
（変形例３）
次に、パス回路４０は、アンテナ素子２からの受信信号を通過させることができればよく、入力端子１２に入力された受信信号を通過させる必要はないことから、図７に示すように、パス回路４０には、アンテナ素子２からの受信信号がそのまま入力されるようにし、その出力側に通過経路切換スイッチ４６を設けるようにしてもよい。
【００６５】
そしてこの場合、電源端子１６に電源電圧が入力されているときに、アンテナ素子２からの受信信号と、入力端子１２からの受信信号との何れかを増幅回路３０に入力すればよいので、図４に示した入力経路切換スイッチ４２と通過経路切換スイッチ４４とに代えて、アンテナ素子２からの受信信号と入力端子１２からの受信信号との一方を選択的に増幅回路３０に入力可能な入力経路切換スイッチ５８を設けるようにしてもよい。
【００６６】
そして、この入力経路切換スイッチ５８は、入力経路切換手段としての機能だけでなく、通過経路切換手段としての機能を持たせる必要があるため、切換回路５０から電源電圧が供給されていないとき（非通電時）には、図７に記載のように信号経路を形成しない開放状態となり、切換回路５０から電源電圧が供給されているとき（通電時）には、検出スイッチ２２の状態に応じて、増幅回路３０の入力端子をアンテナ素子２側、若しくは、入力端子１２側に選択的に切り換えるように構成すればよい。
【００６７】
つまり、入力経路切換スイッチ５８を、入力経路切換スイッチ５８に切換回路５０から電源電圧が供給されているとき、検出スイッチ２２がオン状態（換言すれば、入力端子１２が待避位置）であれば、アンテナ素子２からの受信信号を増幅回路３０に入力し、検出スイッチ２２がオフ状態（換言すれば、入力端子１２が突出位置）であれば、入力端子１２からの受信信号を増幅回路３０に入力するよう、構成するのである。
【００６８】
そして、このようにしても、電源端子１６に電源電圧が供給されていなければ、アンテナ素子２からの受信信号が、パス回路４０及び出力端子１４を介して外部に出力され、電源端子１６に電源電圧が供給されていれば、入力端子１２が待避位置にあるとき、アンテナ素子２からの受信信号が増幅回路３０及び出力端子１４を介して外部に出力され、入力端子１２が突出位置にあるとき、入力端子１２からの受信信号が増幅回路３０及び出力端子１４を介して外部に出力されることになるため、本変形例３においても、上記実施形態や変形例１、２と同様の効果を得ることができる。
【符号の説明】
【００６９】
１…室内アンテナ、２…アンテナ素子、４…支持部、４ａ…開口部、５…蓋体、６…アンテナ端子、８…保護ケース、１０…壁部、１２…入力端子、１２ａ…コネクタ部、１４…出力端子、１４ａ…コネクタ部、１６…電源端子、２０…回路基板、２２…検出スイッチ、２２ａ…操作部、３０…増幅回路、３２…ＨＰＦ（ハイパスフィルタ）、３４…ＬＰＦ（ローパスフィルタ）３６…増幅部、４０…パス回路、４２…入力経路切換スイッチ、４４，４６…通過経路切換スイッチ、５０…切換回路、５２ａ，５２ｂ…可変ＬＰＦ（ローパスフィルタ）、５４ａ，５４ｂ…可変ＨＰＦ（ハイパスフィルタ）、５６…通過経路切換スイッチ、５８…入力経路切換スイッチ。
【図１】
0005757760.tif 000002
【図２】
0005757760.tif 000003
【図３】
0005757760.tif 000004
【図４】
0005757760.tif 000005
【図５】
0005757760.tif 000006
【図６】
0005757760.tif 000007
【図７】
0005757760.tif 000008